【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
化学式（Ｉ）および化学式（Ｉａ）から独立して選択される構造を有する繰り返し単位を含むポリマー：
【化１】
2013501106.tif 000001
式中、
Ａｒは、ハロゲン、ハロメチル、ハロメトキシ、メチル、メトキシ、チオメチル、ニトロ、スルホキシドおよびスルホニルからなる群から独立して選択される１〜４の置換基で置換されていてもよいフェニレン環であり；
Ｒ１は、Ｘ−（ＣＨ２）ｉであり、ｉは１〜４から選択される整数であり；
Ｘ、Ｘ１、Ｘ２およびＸ３は、独立してＯ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【化２】
2013501106.tif 000002
がＸ３Ｈ−置換アミノ酸を定義するように選択され；
各Ａ１は独立して、
【化３】
2013501106.tif 000003
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される；
この際、前記ポリマーは、３７℃でＰＢＳ溶液において完全に水和した場合、３７℃超のガラス転移温度または結晶融解温度を有し、前記化学式（Ｉ）および化学式（Ｉａ）の繰り返し単位を含むモノマーが、３７℃でリン酸緩衝生理食塩水（ＰＢＳ）（０．１Ｍ、ｐＨ７．４）中において、少なくとも約３ｍｇ／ｍＬの溶解度を有するように、前記化学式（Ｉ）および化学式（Ｉａ）の変数が選択される。
【請求項２】
ＡＡおよびＸ３は、
【化４】
2013501106.tif 000004
がヒドロキシ−トリプトファン、メルカプト−トリプトファン、ヒドロキシ−プロリンお
よびメルカプト−プロリンからなる群から選択されるアミノ酸を定義するように選択され
る、請求項１に記載のポリマー。
【請求項３】
化学式（Ｉ）および化学式（Ｉａ）から独立して選択される構造を有する繰り返し単位
を含むポリマー：
【化５】
2013501106.tif 000005
式中、
Ａｒは、ハロゲン、ハロメチル、ハロメトキシ、メチル、メトキシ、チオメチル、ニトロ、スルホキシドおよびスルホニルからなる群から独立して選択される１〜４の置換基で置換されていてもよいフェニレン環であり；
Ｒ１は、Ｘ−（ＣＨ２）ｉであり、ｉは１〜４から選択される整数であり；
Ｘ、Ｘ１、Ｘ２およびＸ３は、独立してＯ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【化６】
2013501106.tif 000006
がＸ３Ｈ−置換アミノ酸を定義するように選択され；
各Ａ１は独立して、
【化７】
2013501106.tif 000007
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される；
この際、前記ポリマーは、３７℃でＰＢＳ溶液において完全に水和した場合、３７℃超のガラス転移温度または結晶融解温度を有し、前記化学式（Ｉ）および化学式（Ｉａ）の繰り返し単位を含むモノマーが、３７℃でリン酸緩衝生理食塩水（ＰＢＳ）（０．１Ｍ、ｐＨ７．４）中において、約３ｍｇ／ｍＬ未満の溶解度を有するように、前記化学式（Ｉ）および化学式（Ｉａ）の変数が選択される。
【請求項４】
ＡＡおよびＸ３は、
【化８】
2013501106.tif 000008
がメルカプト−フェニルアラニン、サイロニンおよびサイロキシンからなる群から選択されるアミノ酸を定義するように選択される、請求項３に記載のポリマー。
【請求項５】
化学式（Ｉ）および化学式（Ｉａ）から独立して選択される構造を有する繰り返し単位
を含むポリマー：
【化９】
2013501106.tif 000009
式中、
Ａｒは、ハロゲン、ハロメチル、ハロメトキシ、メチル、メトキシ、チオメチル、ニトロ、スルホキシドおよびスルホニルからなる群から独立して選択される１〜４の置換基で置換されていてもよいフェニレン環であり；
Ｒ１は、Ｘ−（ＣＨ２）ｉであり、ｉは１〜４から選択される整数であり；
Ｘ、Ｘ１、Ｘ２およびＸ３は、独立してＯ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【化１０】
2013501106.tif 000010
がＸ３Ｈ−置換アミノ酸を定義するように選択され；
各Ａ１は独立して、
【化１１】
2013501106.tif 000011
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される；
この際、前記ポリマーは、３７℃でＰＢＳ溶液において完全に水和した場合、３７℃未満のガラス転移温度または結晶融解温度を有し、前記化学式（Ｉ）および化学式（Ｉａ）の繰り返し単位を含むモノマーが、３７℃でリン酸緩衝生理食塩水（ＰＢＳ）（０．１Ｍ、ｐＨ７．４）中において、約３ｍｇ／ｍＬ超の溶解度を有するように、前記化学式（Ｉ）および化学式（Ｉａ）の変数が選択される。
【請求項６】
（Ｒ２−ＨＮ−）ＡＡ−Ｘ３Ｈは、ヒドロキシ−ロイシン、メルカプト−ロイシン、ヒドロキシ−イソロイシン、メルカプト−イソロイシンおよびメルカプト−バリンからなる群から選択されるアミノ酸を定義する、請求項５に記載のポリマー。
【請求項７】
化学式（Ｉ）および化学式（Ｉａ）から独立して選択される構造を有する繰り返し単位
を含むポリマー：
【化１２】
2013501106.tif 000012
式中、
Ａｒは、ハロゲン、ハロメチル、ハロメトキシ、メチル、メトキシ、チオメチル、ニトロ、スルホキシドおよびスルホニルからなる群から独立して選択される１〜４の置換基で置換されていてもよいフェニレン環であり；
Ｒ１は、Ｘ−（ＣＨ２）ｉであり、ｉは１〜４から選択される整数であり；
Ｘ、Ｘ１、Ｘ２およびＸ３は、独立してＯ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【化１３】
2013501106.tif 000013
がＸ３Ｈ−置換アミノ酸を定義するように選択され；
各Ａ１は独立して、
【化１４】
2013501106.tif 000014
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される；
この際、前記ポリマーは、３７℃でＰＢＳ溶液において完全に水和した場合、３７℃未満のガラス転移温度または結晶融解温度を有し、前記化学式（Ｉ）および化学式（Ｉａ）の繰り返し単位を含むモノマーが、３７℃でリン酸緩衝生理食塩水（ＰＢＳ）（０．１Ｍ、ｐＨ７．４）中において、約３ｍｇ／ｍＬ未満の溶解度を有するように、前記化学式（Ｉ）および化学式（Ｉａ）の変数が選択される。
【請求項８】
化学式（Ｉ）のＡＡおよびＸ３Ｈは、（Ｒ２−ＨＮ−）ＡＡ−Ｘ３Ｈがシステイン、トレオニン、セリン、リシンおよびメルカプト−アラニンからなる群から選択されるアミノ酸を定義するように選択される、請求項７に記載のポリマー。
【請求項９】
前記化学式（Ｉ）および化学式（Ｉａ）の変数は、３７℃で、リン酸緩衝生理食塩水（ＰＢＳ）（０．１Ｍ、ｐＨ７．４）中において、約２０重量％未満の平衡含水率を有するポリマーを提供するように選択される、請求項１または３に記載のポリマー。
【請求項１０】
前記化学式（Ｉ）および化学式（Ｉａ）の変数は、３７℃で、リン酸緩衝生理食塩水（ＰＢＳ）（０．１Ｍ、ｐＨ７．４）中において、約１０重量％超の平衡含水率を有するポリマーを提供するように選択される、請求項５または７に記載のポリマー。
【請求項１１】
化学式（Ｉ）および化学式（Ｉａ）の構造を有する２個の異なる繰り返し単位を含むポリマーであって、前記ポリマーは、ＣＯＯＲ４がペンダントフリーカルボン酸基であるようにＲ４が水素である第一の繰り返し単位、およびＣＯＯＲ４がペンダントカルボキシレート基であるようにＲ４が最大３０個炭素原子を含むアルキル基である第二の繰り返し単位を含む、請求項１〜１０のいずれか１項に記載のポリマー。
【請求項１２】
前記ＡＡ基の約１％〜約５０％がペンダントフリーカルボン酸基を有する、請求項１１に記載のポリマー。
【請求項１３】
Ａｒ基の少なくとも５０％がヨウ素原子および臭素原子からなる群から選択される２〜４個の原子で置換される、請求項１〜１２のいずれか１項に記載のポリマー。
【請求項１４】
Ｒ１が−Ｏ−ＣＨ２−である、請求項１〜１３のいずれか１項に記載のポリマー。
【請求項１５】
Ｘ、Ｘ１、Ｘ２およびＸ３が全て酸素である、請求項１〜１４のいずれか１項に記載のポリマー。
【請求項１６】
ポリカーボネート、ポリエステル、ポリ（ホスファジン）、ポリ（ホスホエステル）、ポリ（イミノ−カーボネート）、ポリエーテル、ポリ−ウレタン、ポリ（カルバメート）、ポリ（チオカーボネート）、ポリ（カーボノジ−チオネート）またはポリ（チオカルバメート）であることを特徴とする、請求項１〜１５のいずれか１項に記載のポリマー。
【請求項１７】
ポリアルキレンオキシドブロックコポリマーであることを特徴とする、請求項１〜１６のいずれか１項に記載のポリマー。
【請求項１８】
Ｒ１が−ＣＨ２−ＣＨ２−または−ＣＨ＝ＣＨ−であり、Ｘ１、Ｘ２およびＸ３がＯであり、およびＡｒが、ヨウ素原子および臭素原子からなる群から選択される２〜４個の原子で置換されていてもよいフェニル基である、請求項１〜１７のいずれか１項に記載のポリマー。
【請求項１９】
前記第二の繰り返し単位が少なくとも１０ｍｏｌ％の量である、請求項１、３、５および７のいずれか１項に記載のポリマー。
【請求項２０】
化学式（ＩＩＩ）に従う構造を有するポリアルキレンオキシドブロック繰り返し単位をさらに含む、請求項１、３、５または７に記載のポリマー：
【化１５】
2013501106.tif 000015
式中、Ｂは、−Ｏ−（（ＣＨＲ６）ｐ−Ｏ）ｑ−であり；各Ｒ６は独立して、ＨまたはＣ１〜Ｃ３のアルキルであり；ｐは、１〜約４の範囲の整数であり；ｑは１〜約１００の範囲の整数であり；およびＡ２は、
【化１６】
2013501106.tif 000016
からなる群から選択され、
式中、Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【請求項２１】
Ｒ６が−ＣＨ２−である、請求項２０に記載のポリマー。
【請求項２２】
血管グラフト、血管ステント、塞栓治療製品、ヘルニア修復メッシュ、胃ラップバンド、薬物輸送インプラント、心臓デバイスを埋め込むための外膜、胆管ステント、食道ステント、膣ステント、肺気管／気管支ステント、外科的スクリュー、外科的縫合アンカー、組織再生スキャフォールド、神経再生グラフト、縫合糸、クリップ、ステープル、鋭い縫合糸、メッシュ縫合糸および埋込型組織支持体からなる群から選択される吸収性医療装置であることを特徴とする、請求項５または７に記載のポリマーを含む薬物輸送インプラント、塞栓治療製品、ヘルニア修復メッシュ、心臓デバイスを埋め込むための外膜、ブリッジ材料、組織シーラント、接着防止剤、神経再生グラフト、埋込型組織支持体または組織再生スキャフォールド。
【手続補正２】
【補正対象書類名】明細書
【補正対象項目名】００１６
【補正方法】変更
【補正の内容】
【００１６】
式中、
Ａｒは、ハロゲン、ハロメチル、ハロメトキシ、メチル、メトキシ、チオメチル、ニトロ、スルホキシドおよびスルホニルからなる群から独立して選択される１〜４の置換基で置換されていてもよいフェニレン環であり；
Ｒ１は、Ｘ−（ＣＨ２）ｉであり、ｉは１〜４から選択される整数であり；
Ｘ、Ｘ１、Ｘ２およびＸ３は、独立してＯ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【手続補正３】
【補正対象書類名】明細書
【補正対象項目名】００１９
【補正方法】変更
【補正の内容】
【００１９】
【化１７】
2013501106.tif 000017
【手続補正４】
【補正対象書類名】明細書
【補正対象項目名】００２０
【補正方法】変更
【補正の内容】
【００２０】
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【手続補正５】
【補正対象書類名】明細書
【補正対象項目名】００７０
【補正方法】変更
【補正の内容】
【００７０】
式中、
Ａｒは、非置換またはハロゲン原子、ハロメチル基、ハロメトキシ基、メチル、メトキシ、チオメチル、ニトロ、スルホキシドおよびスルホニルからなる群から独立して選択された１〜４の置換基で置換されたフェニレン環であり；
Ｒ１はＸ−（ＣＨ２）ｉであり、ｉは１〜４から選択される整数であり；
Ｘ、Ｘ１、Ｘ２およびＸ３は、独立して、Ｏ、ＳおよびＮＲ３からなる群から選択され；
Ｒ２は、水素および１〜６個の炭素原子を含むアルキル基からなる群から選択され、または、−Ｎ−Ｒ２ａ−ＡＡ−が複素環を定義するように、Ｒ２ａは窒素原子およびＡＡの両方と共有結合するアルキレン基であり；
Ｒ３は、水素および１〜６個の炭素原子を含むアルキル基からなる群から選択され；
ＡＡは、ＣＯＯＲ４ペンダント基を有し、Ｒ４は水素、最大１８個の炭素原子含むアルキル、ヘテロアルキルおよびアルキルアリール基、ならびに分子量１００〜１０，０００の末端アルキルのポリ（アルキレンオキシド）基からなる群から選択され；
化学式（ＩＶ）のＡＡおよびＸ３Ｈは、（Ｒ２−ＮＨ−）ＡＡ−Ｘ３Ｈがアミノ酸を定義するように選択され、化学式（ＩＶａ）のＡＡおよびＸ３Ｈは、
【手続補正６】
【補正対象書類名】明細書
【補正対象項目名】００７８
【補正方法】変更
【補正の内容】
【００７８】
式中、
Ａｒは、ハロゲン、ハロメチル、ハロメトキシ、メチル、メトキシ、チオメチル、ニトロ、スルホキシドおよびスルホニルからなる群から独立して選択された１〜４の置換基で置換されていてもよいフェニレン環であり；
Ｒ１はＸ−（ＣＨ２）ｉであり、ｉは１〜４から選択される整数であり；
Ｘ、Ｘ１、Ｘ２およびＸ３は、独立して、Ｏ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【手続補正７】
【補正対象書類名】明細書
【補正対象項目名】００８１
【補正方法】変更
【補正の内容】
【００８１】
【化１８】
2013501106.tif 000018
【手続補正８】
【補正対象書類名】明細書
【補正対象項目名】００８２
【補正方法】変更
【補正の内容】
【００８２】
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【手続補正９】
【補正対象書類名】明細書
【補正対象項目名】００９０
【補正方法】変更
【補正の内容】
【００９０】
式中、
Ａｒは、ハロゲン、ハロメチル、ハロメトキシ、メチル、メトキシ、チオメチル、ニトロ、スルホキシドおよびスルホニルからなる群から独立して選択された１〜４の置換基で置換されていてもよいフェニレン環であり；
Ｒ１はＸ−（ＣＨ２）ｉであり、ｉは１〜４から選択される整数であり；
Ｘ、Ｘ１、Ｘ２およびＸ３は、独立して、Ｏ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【手続補正１０】
【補正対象書類名】明細書
【補正対象項目名】００９３
【補正方法】変更
【補正の内容】
【００９３】
【化１９】
2013501106.tif 000019
【手続補正１１】
【補正対象書類名】明細書
【補正対象項目名】００９４
【補正方法】変更
【補正の内容】
【００９４】
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【手続補正１２】
【補正対象書類名】明細書
【補正対象項目名】０１０２
【補正方法】変更
【補正の内容】
【０１０２】
式中、
Ａｒは、ハロゲン、ハロメチル、ハロメトキシ、メチル、メトキシ、チオメチル、ニトロ、スルホキシドおよびスルホニルからなる群から独立して選択された１〜４の置換基で置換されていてもよいフェニレン環であり；
Ｒ１はＸ−（ＣＨ２）ｉであり、ｉは１〜４から選択される整数であり；
Ｘ、Ｘ１、Ｘ２およびＸ３は、独立して、Ｏ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【手続補正１３】
【補正対象書類名】明細書
【補正対象項目名】０１０５
【補正方法】変更
【補正の内容】
【０１０５】
【化２０】
2013501106.tif 000020
【手続補正１４】
【補正対象書類名】明細書
【補正対象項目名】０１０６
【補正方法】変更
【補正の内容】
【０１０６】
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【手続補正１５】
【補正対象書類名】明細書
【補正対象項目名】０１１２
【補正方法】変更
【補正の内容】
【０１１２】
式中、
Ａｒは、ハロゲン、ハロメチル、ハロメトキシ、メチル、メトキシ、チオメチル、ニトロ、スルホキシドおよびスルホニルからなる群から独立して選択された１〜４の置換基で置換されていてもよいフェニレン環であり；
Ｒ１はＸ−（ＣＨ２）ｉであり、ｉは１〜４から選択される整数であり；
Ｘ、Ｘ１、Ｘ２およびＸ３は、独立して、Ｏ、ＳおよびＮＲ３からなる群から選択され；
Ｒ２は、水素および１〜３０個の炭素原子を含むアルキル基からなる群から選択され、または−Ｎ−Ｒ２ａ−ＡＡ−が複素環を定義するように、Ｒ２ａはＮＲ２の窒素原子およびＡＡの両方と共有結合するアルキレン基であり；
Ｒ３は、水素および１〜３０個の炭素原子を含むアルキル基からなる群から選択され；
ＡＡは、ＣＯＯＲ４ペンダント基を有し、Ｒ４は水素、最大３０個の炭素原子を含むアルキル、ヘテロアルキルおよびアルキルアリール基、ならびに分子量１００〜１０，０００の末端アルキルのポリ（アルキレンオキシド）基からなる群から選択され；
化学式（Ｉ）のＡＡおよびＸ３Ｈは、（Ｒ２−ＮＨ−）ＡＡ−Ｘ３Ｈが−Ｘ３Ｈ置換アミノ酸を定義するように選択され、化学式（Ｉａ）のＡＡおよびＸ３Ｈは、
【手続補正１６】
【補正対象書類名】明細書
【補正対象項目名】０１１５
【補正方法】変更
【補正の内容】
【０１１５】
【化２１】
2013501106.tif 000021
【手続補正１７】
【補正対象書類名】明細書
【補正対象項目名】０１１６
【補正方法】変更
【補正の内容】
【０１１６】
から選択され；
Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。
【手続補正１８】
【補正対象書類名】明細書
【補正対象項目名】０１３６
【補正方法】変更
【補正の内容】
【０１３６】
【化２２】
2013501106.tif 000022
【手続補正１９】
【補正対象書類名】明細書
【補正対象項目名】０１３７
【補正方法】変更
【補正の内容】
【０１３７】
からなる群から選択され、
式中、Ｒ１０は、Ｈ、Ｃ１−Ｃ３０のアルキル、アルケニルまたはアルキニル、およびＣ２−Ｃ３０のヘテロアルキル、ヘテロアルケニルまたはヘテロアルキニルから選択され；および
Ｒ１２は、Ｃ１−Ｃ３０のアルキレン、アルケニレンまたはアルキニレン、Ｃ１−Ｃ３０のヘテロアルキレン、ヘテロアルケニレンまたはヘテロアルキニレン、Ｃ５−Ｃ３０のヘテロアルキルアリーレン、ヘテロアルケニルアリーレンまたはヘテロアルキニルアリーレン、Ｃ６−Ｃ３０のアルキルアリーレン、アルケニルアリーレンまたはアルキニルアリーレン、およびＣ５−Ｃ３０のヘテロアリーレンから選択される。